(57)【要約】【課題】  本発明は、１種にて大小各種径のゴム輪をマンホールの側面孔に圧接嵌めすることのできる拡径具を新規に提供することを解決しようとする課題とするものである。【解決手段】  本発明はマンホールの側面孔にゴム輪を圧接嵌めするための油圧ジャッキ，手動のネジ拡径具において、該ジャッキ，ネジ拡径具の中間両側に外側に張出す張出し支点を設け、該張出し支点より油圧またはネジにて進退するロッド端に旋回動自在に枢着する二股アームの先端に連結して拡径作動する拡径アームを設けて、前記ゴム輪の内側の有端リングの重なり端近くに設ける掛止部を押し拡径することにより、マンホールの側面孔の大小に対応して用意される大小径の各ゴム輪を一種づつの油圧ジャッキ，手動のネジ拡径具にて圧接嵌め可能としたことを特徴とするマンホールの側面孔に対するゴム輪圧着用治具にある。【選択図】  図６
2006037389.tif 000002
【特許請求の範囲】
【請求項１】
マンホールの側面孔にゴム輪を圧接嵌めするための油圧ジャッキ式，手動ネジ式の拡径具において、該油圧ジャッキ式またはネジ式の拡径具の中間両側に外側に張出す張出し支点を設け、該張出し支点より油圧またはネジにて進退するロッド端に旋回動自在に枢着する二股アームの先端に連結して拡径作動する拡径アームを設けて、前記ゴム輪の内側の有端リングの重なり端近くに設ける掛止部を押し拡径することにより、マンホールの側面孔の大小に対応して用意される大小径の各ゴム輪を一種の拡径具にて圧接嵌め可能としたことを特徴とするマンホールの側面孔に対するゴム輪圧着用治具。
【請求項２】
ゴム輪圧着用の治具は油圧ジャッキ式，手動ネジ式の拡径具ともに縦開き型と横開き型の２種づつにて構成する請求項１記載のマンホールの側面孔に対するゴム輪圧着用治具。
【発明の詳細な説明】
【技術分野】
【０００１】
この発明は、マンホールの側面孔に対するゴム輪圧着用の治具、詳しくはマンホールの大きさ等によって大小する側面孔に対応した大小各径のゴム輪を油圧式または手動式の１種の拡径具にて圧着嵌めを可能とするゴム輪の圧着用治具に関するものである。
【背景技術】
【０００２】
この種の技術は特許第３０２６０６８号にて発表されている。該公報は油圧ジャッキの開閉アームの先端に押し開き用の有端リングを取付けていて、油圧ジャッキの作動により有端リングを拡径して内側のゴム輪に当てた内面リングの重なり端部を離し開きし、この離し開きした端部間を嵌着し掛止固定することでゴム輪をマンホールの側面孔に圧接させて嵌付けするようにしている。
【特許文献１】特許第３０２６０６８号公報
【発明の開示】
【発明が解決しようとする課題】
【０００３】
しかしながら、このような拡径用の治具は、開閉アームにて附属の有端リングを拡径して内面リングの重なり端部を離し開きする要領のため、油圧ジャッキの拡径具はゴム輪に適合する有端リングの大きさごとに多種を用意しなければならないという課題があった。また油圧ジャッキは拡径圧の反作用を受けるために底座をもってしっかり固定しなければならない手間を要するという課題があった。
【課題を解決するための手段】
【０００４】
本発明は、マンホールの側面孔にゴム輪を圧接嵌めするための油圧ジャッキ式，手動ネジ式の拡径具において、該油圧ジャッキ式，手動ネジ式の拡径具の中間両側に外側に張出す張出し支点を設け、該張出し支点より油圧またはネジにて進退するロッド端に旋回動自在に枢着する二股アームの先端に連結して拡径作動する拡径アームを設けて、前記ゴム輪の内側の有端リングの重なり端近くに設ける掛止部を押し拡径することにより、マンホールの側面孔の大小に対応して用意される大小径の各ゴム輪を一種の油圧ジャッキ式または手動ネジ式の拡径具にて圧接嵌め可能とするようにして、かかる課題を解決したのである。
【発明の効果】
【０００５】
本発明は以上のようにして、油圧ジャッキ式または手動ネジ式の拡径具にて直接有端リングの重なり端部を拡径することと、油圧ジャッキ式，手動ネジ式の拡径具の中間より両側に張出した張出し支点を設け、この張出し支点より油圧またはネジにて進退するロッド端に旋回動自在に枢着する二股アームの先端に連結する２本の拡径アームを設けたことにより、油圧ジャッキ式，手動ネジ式の拡径具の拡径時の反作用を２つの張出し支点に集中させて本体に反動が生じないようにしたので、油圧ジャッキまたは手動ネジの本体部分の押え固定の手間を要することなしに安定して拡径作業をすすめることができるという効果を生ずる。
【０００６】
横開き型の拡径具により、既に接続管が挿入されている狭い空間における拡径作業も容易に行うことができるという効果を生ずる。
【発明を実施するための最良の形態】
【０００７】
油圧ジャッキ式または手動ネジ式の拡径具は、中間の両側に張出し部を設け、その先端に張出し支点を設け、該支点より油圧またはネジにて進退するロッド端に旋回動自在に枢着する二股アームの先端間に連結する２本の拡径アームを設け、両拡径アームの先端の押爪をゴム輪の内面に当てた有端リングの重なり端部の外側内面に設ける掛止部に当て掛けして拡径作動をすることによりゴム輪をマンホールの側面孔に圧接嵌めするようにしたのである。
【実施例１】
【０００８】
図１に示すように油圧ジャッキ式の拡径具１は中間のピストン部２の両側に張出し部分３，３を設け、その先端に張出し支点３ａ，３ｂを設けて、該張出し支点３ａ，３ｂよりピストン作動にて進退するロッド２ａ端に旋回動自在に枢着２ｂする二股アーム４ａ，４ｂの先端との間に拡径アーム５ａ，５ｂを取付けてなる。６は押爪である。
【０００９】
マンホール７の側面孔７ａに仮嵌めするゴム輪８の内面に端部間を重ね合わせた重なり端部９ａ，９ｂのある有端リング９を当接し、図２，図３（ａ）および図４（ａ）に示すように、この重なり端部９ａ，９ｂ近くに設ける掛止部１０ａ，１０ｂに拡径アーム５ａ，５ｂの先端の押爪６を当て掛けてロッド２ａを伸張して図３（ｂ），図４（ｂ）に示すように拡径し、重なり部分９ａ，９ｂ間を一旦押し離して向き合わせてから徐々に油圧を解いて、図３（ｃ）に示すように重なり部分９ａ，９ｂの先端間を嵌着し掛止固定することによって、ゴム輪８をマンホール７の側面孔７ａに圧接嵌めするのである。拡径具１はさらに縮径作動して拡径アーム５ａ，５ｂを閉じ作動して有端リング９内から外すことができることとなる。以上の要領により、図５に示すようにマンホール７の大小する側面孔７ａに取付ける大小各径のゴム輪８用の各有端リング９を１種の拡径具１をもって拡径し掛止することができることとなる。なお、中間のピストン部２の両側の張出し部分３，３に張出し支点３ａ，３ｂを設け、ピストン作動にて進退するロッド２ａ端に旋回動自在に枢着２ｂする二股アーム４ａ，４ｂの先端との間に拡径アーム５ａ，５ｂを取付け、且つ押爪６，６を掛止部１０ａ，１０ｂに当て掛けするようにしたので、拡径アーム５ａ，５ｂの拡径圧の反作用は張出し支点３ａ，３ｂに集中してロッド２ａの伸張に対するキックバックが油圧ジャッキ方向に生じないようにしたので、拡径具本体は固定の手間を要せずして簡易迅速に作業をすることができることとなる。
【実施例２】
【００１０】
図６乃至図８は側面孔７ａ内に既に接続管２０が挿嵌されている狭い空間においてゴム輪８を有端リング９により圧接嵌めするための拡径作業用の実施例を示し、図６（ａ）（ｂ）に示すように前記の拡径アーム５ａ，５ｂの先端を延長する要領にてアダプター１１ａ，１１ｂを取付けたものである。１２はアダプター１１ａ，１１ｂの先端に横向きに設けた押爪である。図７（ａ）（ｂ）に示すように拡径具１の本体はマンホール７の外または内の広い空間内に横置きして、アダプター１１ａ，１１ｂ部分のみを有端リング９の内側に入れて掛止部１０ａ，１０ｂの内端に押爪１２を当て掛けて拡径してゴム輪８を側面孔７ａに圧接嵌めするようにしたのである。なおアダプター１１ａ，１１ｂはネジ止めまたはワンタッチ挿着機構によって拡径アーム５ａ，５ｂに取付け取外しするようにすることもできる。
【実施例３】
【００１１】
図９は手動ネジ式の拡径具１３の例を示すもので、ネジ軸１４の螺合部の両側に張出部分１５，１５を設けて、その両側下に設けた張出し支点１６ａ，１６ｂと進退するネジ軸１４端に旋回動自在に枢着１４ａする二股アーム１７ａ，１７ｂの先端間に拡径用のアーム１８ａ，１８ｂを取付けたのである。１９は押爪である。
【００１２】
油圧ピストンにかわるネジ軸１４の正逆回転操作によりネジ軸１４の先端（回転自由のロッド）を進退させることによって、拡径用アーム１８ａ，１８ｂを開閉するようにしたほかは前例に同じである。さらに図１０に示すようにアダプター１１ａ，１１ｂを固定取付け、または取外し自在に装着して横開き型にすることができる点も同様である。手動ネジ式によれば、油圧ポンプ（図示してない）等の設備を不要とし、総じて小さく軽量となるので持ち運びに便利で、特に狭い場所での作業に適したものとなる。
【産業上の利用可能性】
【００１３】
本発明は以上のようにして、側面孔の大きさ、すなわちゴム輪の大小径にかかわらず１種の拡径具でもってあらゆる大きさのゴム輪の内側圧接嵌めを可能とするので、水密性にすぐれたこの種のゴム輪の普及に広く貢献することができるものとなる。
【図面の簡単な説明】
【００１４】
【図１】（ａ）は油圧ジャッキ式の拡径具の正面図、（ｂ）は同、側面図、（ｃ）はロッドの伸張により拡径用アームを拡げた状態を示す正面図
【図２】押爪を掛止部に当て掛けした準備状態を示す使用時の正面図
【図３】（ａ）は同、拡大正面図、（ｂ）は拡径した状態の拡大正面図
【図４】有端リングの動作を示す部分平面図で、（ａ）端部間が重なった準備段階、（ｂ）は拡径された状態、（ｃ）は拡径を解いた戻り圧で端部間を嵌合掛止した状態
【図５】１種の拡径具により、（ａ）は大径の有端リングを拡径している状態の作業図、（ｂ）は小径の有端リングを拡径している状態の作業図
【図６】横開き用のアダプターを設けた例を示すもので、（ａ）は正面図、（ｂ）は拡径した状態の正面図、（ｃ）は側面図
【図７】（ａ）（ｂ）はこの種の代表的なゴム輪形状２種の取付けに際して、拡径具本体をマンホールの外または内に横置きして、長く薄形をしたアダプターによって狭い空間で拡径作業をしている状態を示す部分側面図
【図８】同、有端リング部分の正面断面図
【図９】手動ネジ式の拡径具を示すもので、（ａ）は閉じた状態、（ｂ）は拡径した状態の正面図
【図１０】同、横開き用のアダプターを設けた例を示す各正面図
【符号の説明】
【００１５】
１は油圧ジャッキ式の拡径具
２はピストン部
３，３は張出し部分
３ａ，３ｂは張出し支点
４ａ，４ｂは二股アーム
５ａ，５ｂは拡径アーム
６は押爪
７はマンホール
７ａは側面孔
８はゴム輪
８ａは中間部
８ｂは接続管取付部
９は有端リング
９ａ，９ｂは重なり端部
１０ａ，１０ｂは掛止部
１１ａ，１１ｂはアダプター
１２は押爪
１３は手動ネジ式の拡径具
１４はネジ軸
１５，１５は張出し部分
１６ａ，１６ｂは張出し支点
１７ａ，１７ｂは二股アーム
１８ａ，１８ｂは拡径アーム
１９は押爪
２０は接続管
２１は締付けバンド（拡径作業終了後）
【図１】
2006037389.tif 000003
【図２】
2006037389.tif 000004
【図３】
2006037389.tif 000005
【図４】
2006037389.tif 000006
【図５】
2006037389.tif 000007
【図６】
2006037389.tif 000008
【図７】
2006037389.tif 000009
【図８】
2006037389.tif 000010
【図９】
2006037389.tif 000011
【図１０】
2006037389.tif 000012